(57)【要約】【課題】ピース高さの簡単な調整が可能な、ピース高さ調整用デバイス。【解決手段】本発明は、ピース高さ調整用のデバイスに関し、デバイスは、雌螺子山を備え第１の開口を有する中央円筒を画定する、支持体に固定される本体と、雄螺子山、ピースを担持するための第１の端部、および第２の端部を有するピンと、を含む。ピンおよび本体は、それぞれの螺子山を介して互いに接続され、ピンは、回転させられたときに、長手方向に移動して、第１の端部の高さを調整することができる。ピンには、少なくとも２つの長手方向の貫通スロットが第２の端部上に備わっていて、少なくとも２つの可撓性の脚を画定し、および本体は、その内部表面上に、可撓性の脚を屈曲させピンの回転の動きの間にスロットのうちの１つの中に適合ししたがってピースの高さ位置をインデックス付けするように構成された少なくとも１つのボスを有する。【選択図】図１
2019183629.tif 000002
【特許請求の範囲】
【請求項１】
ピース（６）の高さを調整するためのデバイス（１）であって、前記デバイスは、
−  支持体に固定されるように意図される本体（２）であって、雌螺子山が備わっておりおよび第１の開口（４ａ）を有する中央円筒を画定する、本体（２）、
−  雄螺子山、前記ピース（６）を軸受けするための第１の端部（５ａ） 、および第２の端部（５ｂ）を有するピン（５）、
を含み、
前記ピン（５）および前記本体（６）は、それらのそれぞれの螺子山を介して互いに接続され、ならびに前記ピン（５）は、回転させられたときに、長手方向に移動してその第１の端部（５ａ）の高さを調整することができ、
−  前記ピン（５）には、少なくとも２つの長手方向の貫通スロット（１１）がその第２の端部（５ｂ）上に備わっていて、少なくとも２つの可撓性の脚（７）を画定し、
−  前記本体（２）は、その内部表面上に、ハンドル（１０）の長手方向のアーム（１０ａ、１０ｂ）上にそれぞれ配置され、前記可撓性の脚（７）を屈曲させるように、および前記ピン（５）の前記回転の動きの間に前記スロット（１１）内に収容されおよびしたがって前記ピース（６）の前記高さ位置をインデックス付けするように、構成される、２つのボス（９）を有することを特徴とする、調整デバイス。
【請求項２】
前記可撓性の脚（７）には、前記本体（２）の周辺縁に当接するための肩（８）が備わっていることを特徴とする請求項１に記載の調整デバイス（１）。
【請求項３】
止め具（６）は、前記ピン（５）の前記第１の端部において組み立てられることを特徴とする請求項１または２に記載の調整デバイス（１）。
【請求項４】
前記ピン（５）には、４つのスロット（１１）が備わっていることを特徴とする請求項１から３のいずれか一項に記載の調整デバイス（１）。
【発明の詳細な説明】
【技術分野】
【０００１】
本発明は、エンドピースの高さ（elevation）を調整するためのデバイスに関する。ピースは、例えば、ボンネット（hood）、トランクドア、後尾扉（tailgate）のような自動車の開口部のための止め具（stop）であり得る。ピースの高さを調整することによって、開口部は、本体の残りの部分と共に閉位置に正確に位置決めされ得る。
【背景技術】
【０００２】
そのようなデバイスは、文献ＦＲ３００２５７４（特許文献１）から知られている。それは、車両に固定されるように意図されるスリーブ、および止め具を所定高さ（a given height）に配置するためにスリーブ内にスライド可能である、止め具を軸受けする（bearing）調整要素（adjusting element）を含む。デバイスは、次いで、調整要素に動き（movement）を与えて、保持ラグを係止溝（locking grooves）内に配置しならびに調整要素上およびスリーブ上にそれぞれ配置された歯および溝を合わせることによって、調整要素の任意の動きを係止しおよび止め具の高さ（height）を固定するように、係止される。
【０００３】
この文献において提案される解決策は、決定された高さに止め具を位置決めすることを効果的に可能にする。しかしながら、この高さを、特にデバイスが係止位置（locking position）に配置された後に、簡単に調整することを可能にしない。
【０００４】
文献ＤＥ２９７１６１１１（特許文献２）は、止め具を決定された高さに配置するためのデバイスを開示する。この文献において、高さは、スリーブ上に配置される可撓性要素軸受ラグ（flexible elements bearing lugs）によってインデックス付けされ、それらは、それら自身を調整要素の溝においてインデントする。 
【０００５】
この文献において提案される解決策は、特に脆く、および、調整要素がスリーブ内にねじ込まれるときに、可撓性要素は破損する可能性があることを暗示する。加えて、このデバイスは、可撓性要素が変形できるために、その環境内に十分な空間を必要とする。
【先行技術文献】
【特許文献】
【０００６】
【特許文献１】仏国特許第３００２５７４号
【特許文献２】独国実用新案第２９７１６１１１号
【発明の概要】
【発明が解決しようとする課題】
【０００７】
本発明の目的は、上述の欠点を有さない代替的な解決策を提供することである。それは、特に、例えばピースの高さのインデックス付けによって、簡単な調整を可能にすることを目的とする。
【課題を解決するための手段】
【０００８】
少なくとも部分的に本目的を達成するために、本発明の主題は、ピースの高さを調整するためのデバイスであって、
−  支持体に固定されることが意図される本体であって、雌螺子山が備わっておりおよび第１の開口を有する中央円筒（central cylinder）を画定する、本体、
−  雄螺子山、ピースを軸受けするための第１の端部、および第２の端部を備えるピン、
を含むデバイスを提案する。
【０００９】
ピンおよび本体は、それらのそれぞれの螺子山を介して互いに接続され、およびピンは、回転させられたときに、長手方向に移動して、その第１の端部の高さを調整する。
【００１０】
本発明によると、ピンには、少なくとも２つの長手方向の貫通スロット（through slot）がその第２の端部に備わっていて、少なくとも２つの可撓性の脚を画定する。本体は、その内部表面上に、ハンドルの長手方向のアーム上にそれぞれ配置された２つのボスを有する。ボスは、可撓性の脚を屈曲させるように、ならびにピンの回転の動きの間にスロット内に適合しおよびしたがってピースの高さ位置をインデックス付けするように、構成される。 
【００１１】
別個にまたは任意の技術的に実行可能な組み合わせにおいてのいずれかで得られる本発明の他の有利なおよび非限定的な特徴によると、
−  可撓性の脚には、本体の周辺縁（peripheral edge）において停止するための肩が備わっており、
−  ボスは、ハンドルの長手方向のアームによって担持され、
−  止め具は、ピンの第１の端部において組み立てられ、
−  ピンには、４つのスロットが備わっている。
【００１２】
本発明のさらなる特徴および利点は、添付図面を参照してなされた本発明の以下の詳細な説明から明らかになるであろう。
【図面の簡単な説明】
【００１３】
【図１】本発明によるデバイスの分解図を示す図である。
【図２】本発明によるデバイスの別のビューを示す図である。
【図３】本発明によるデバイスのピンの１つの端部における断面を示す図である。
【発明を実施するための形態】
【００１４】
図１および図２を参照して、本発明によるエンドピースの高さを調整するためのデバイス１は、支持体に固定されるように意図される本体２を含む。「高さ（Elevation）」は、本出願において、エンドピースと本体２上の基準点との間の距離をいうために使用される。デバイス１が自動車開口部の止め具である場合において、支持体は、本体要素または車両シャーシから構成されていてもよい。
【００１５】
支持体の性質（nature）がどんなものであったとしても、それには、調整デバイス１の本体２がその中に挿入されて保持され得る開口が備わっている。本目的のために、本体２には、本体２が支持体に弾性的にインターロックされることを可能にする可撓性の脚のような保持デバイス、または本体２を支持体に固定するための係止手段３、が備わっていてもよい。
【００１６】
有利には、本体２には、それを支持体上に置くための支持体フランジが備わっていてもよい。フランジには、本体２がその中に挿入されている開口をシールするために、例えばエラストマー製のシーリングワッシャが取り付けられてもよい。
【００１７】
本体２は、 長手方向に延び、ならびに円形ベースおよび雌螺子山を備える中央円筒を画定する。円筒は、本体２の両側（either side）に、第１の開口４ａおよび第２の開口４ｂを有する。
【００１８】
ここに記載されるような調整デバイス１は、また、形状において同様に円筒状の、雄螺子山を備える、ピン５を有する。このピン５は、例えばインターロック手段または他の固定手段によって、その高さが調整されるべきエンドピース６を受け入れるように構成された第１の端部５ａを有する。図に示される実施例において、このエンドピース６は、エラストマー材料製の止め具から構成される。
【００１９】
ピン５および本体２の中央円筒の寸法は、２つの部品が、同一のものをそれらのそれぞれの螺子山を用いて螺合することによって互いに接続され得るように、選択される。ピン５は、回転して駆動されたときに（when driven in rotation）、次いで長手方向に移動することができ、これは、エンドピース、この場合においてエラストマー止め具６、の高さを調整可能にする。
【００２０】
それ自体が良く知られているように、ピンの中央および外側円筒の雌螺子のピッチは、本体２内におけるピン５の各完全回転に関するエンドピース６の高さの変動を決定するように選択される。例えば、４ｍｍピッチを選択することによって、エンドピース６の高さは、いずれかの方向にピン５の半回転の回転を課すことによって、公称高さから＋または−２ｍｍずつ変動することとなる。
【００２１】
図１および図２の説明を継続して、ピン５の第２の端部５ｂには、少なくとも２つの長手方向の貫通スロット１１が備わっている。これらの２つのスロット１１は、 ピン５の第２の端部５ｂ上の２つの可撓性の脚７を画定する。本説明において後に明らかにされるように、２つを超えるスロット１１およびしたがって２つを超える可撓性の脚７が提供され得る。
【００２２】
図に示される有利な実施例において、可撓性の脚７は、各々、肩８を有する。ピン５の第２の端部５ｂが、中央円筒内にねじ込まれるように本体２の開口４ａ内に挿入されるときに、可撓性の脚７は、引っ込んで、駆動方向におけるピン５の長手方向の動きを可能にする。可撓性の脚７をこの本体２の第２の開口の側面上に見えるようにさせるのに十分なほど、ピン５が本体２内に行ってしまうと、可撓性の脚７は、それらの位置に戻り、および肩８を本体２の周辺縁と当接して配置する。この機構は、ピン５がねじって外されるのを防止し、および本体２に関するエンドピース６の最大高さを決定することを可能にする。これは、また、ピン５をねじって回す前の、本体２に対するピン５の事前貫通（pre-piercing）および事前保持（pre-holding）を可能にすることによって、組み立てを容易にする。
【００２３】
図１に、および図３に示される本体２の断面に示されるように、本体２は、また、その内部表面上に少なくとも１つのボス９を有し、すなわち、該１つはピン５に面する。これらの図に示される実施例において、本体２は、ハンドル１０の長手方向のアーム１０ａ、１０ｂ上にそれぞれ形成される、互いに面する２つのボス９を有する。
【００２４】
ボス９は、それらがピン５の可撓性の脚７を、それがボス９と対向して可撓性の脚８を配置する本体２内の角度位置に配置されたときに、変形しやすいように、本体２の内側円筒の直径の制約を与える。ボス９は、また、ピン５がボス９と対向していくつかのスロット１１を配置する本体２内の角度位置に配置されたときに、スロット１１のうちのいくつかの中に適合するように、構成される。この構成において、可撓性の脚７は、それらの自然のレイアウトに戻る。この目的のために、ボス９は、スロット１１の幅と同様のまたはそれよりも小さいサイズを有する。
【００２５】
一般的に言って、ボス９は、ピン５上に配置されたスロット１１内において同時に全てと係合するように、本体２の中央円筒の周りに角度をなして（angularly）配置される。示される実施例において、２つのボス９は、互いに直径方向に対向して本体２上に配置されており、およびピン５の４つのスロット１１は、互いから９０°の角度で分離されている。
【００２６】
ハンド１０の頂部（top）は、各長手方向のアーム１０ａ、１０ｂを接続し、および同一のものを、可撓性の脚７がボス９を強制的に圧迫する（forcedly bear on）ときに、しっかりと所定の位置に保持する。
【００２７】
エンドピース６の高さを調整するためにピン５が挿入の方向に本体２内にねじ込まれるときに、スロット１１は、可撓性の脚７を引っ込ませることによって、回転させられる。ボス９は、これらのスロット１１のうちのいくつかの中で係合されて、ピン５の回転をインデックス付けし、および係止位置における、エンドピースの高さの、固定された位置決め（stationary positioning）を保証する。
【００２８】
示される実施例において、ピンの各４分の１回転は、エンドピースを位置決めするためのノッチを形成する。雌螺子山および雄螺子山の選択されたピッチによって、各４分の１回転、すなわち、２つの係止位置間は、エンドピース６の高さを特定の量ずつ調整する。
【００２９】
今提示されたデバイス１の部品は、プラスチック材料製であってもよく、および射出によってまたは三次元構築（additive construction）によって製造されるデバイスであってもよい。
【００３０】
もちろん、本発明は、記載された実地形態に限定されず、および代替的な解決策を、特許請求の範囲に定義されるように、本発明の範囲から逸脱することなく、使用することができる。
【図１】
2019183629.tif 000003
【図２】
2019183629.tif 000004
【図３】
2019183629.tif 000005
【外国語明細書】
2019183629000001.pdf